(57)【要約】【課題】大きさが異なる複数の容器を任意に組み合わせて積み重ねた場合であっても、互いがずれずに安定して持ち運び可能な容器セット及び容器を提供する。【解決手段】蓋部１１、２１、３１及び該蓋部１１、２１、３１が開閉自在にはまる容器本体１０、２０、３０からなるランチボックス１、２、３を複数組み合わせる容器セットにおいて、各蓋部１１、２１、３１の外面には、嵌合凸部が形成してあり、各容器本体１０、２０、３０の底部外面には、前記嵌合凸部と嵌合する嵌合凹部が形成してある。【選択図】図１
2013141467.tif 000002
【特許請求の範囲】
【請求項１】
蓋部及び該蓋部が開閉自在にはまる容器本体からなる容器を複数組み合わせる容器セットにおいて、
各蓋部の外面には、嵌合凸部又は嵌合凹部が形成してあり、
各容器本体の底部外面には、前記蓋部の嵌合凸部と嵌合する嵌合凹部又は前記蓋部の嵌合凹部と嵌合する嵌合凸部が形成してある
ことを特徴とする容器セット。
【請求項２】
前記嵌合凸部及び嵌合凹部は、それぞれ同一形状及び同一寸法としてあり、
前記複数の容器本体のうち、任意の容器本体の前記嵌合凹部は、該容器本体及び他の容器本体と対応する蓋部の前記嵌合凸部と嵌合し、任意の容器本体の前記嵌合凸部は、該容器本体及び他の容器本体と対応する蓋部の前記嵌合凹部と嵌合するようにしてある
ことを特徴とする請求項１に記載の容器セット。
【請求項３】
前記複数の蓋部は積み重ねることが可能としてあることを特徴とする請求項１又は２に記載の容器セット。
【請求項４】
前記容器セットを構成する複数の容器の内、小容積の容器は蓋部をはめた状態で大容積の容器に収容できるものである
ことを特徴とする請求項１から３のいずれか一項に記載の容器セット。
【請求項５】
蓋部及び該蓋部が開閉自在にはまる容器本体からなる容器において、
蓋部の外面には、嵌合凸部が形成してあり、
容器本体の底部外面には、前記嵌合凸部と嵌合する嵌合凹部が形成してある
ことを特徴とする容器。
【発明の詳細な説明】
【技術分野】
【０００１】
本発明は、蓋付きの容器を複数重ねることが可能な容器セット及び容器に関する。
【背景技術】
【０００２】
ランチボックスとして、複数の蓋付き容器を組み合わせたものが、広く使われている。そのようなランチボックスには、主食が収納される容器と主菜・副菜が収納される容器とは異なる大きさであるものがある。そのようなランチボックスでは、重ねて持ち運ぶ際には、互いにずれてしまうという問題があった。このような問題に対して、特許文献１には、容器本体と容器本体の開口部を覆う蓋と、該蓋の上部外周部に形成された積み重ね時に容器本体の外周部が入り込んで、ずれを防止する突起状のずれ防止リングとからなる弁当容器が記載されている。
【先行技術文献】
【特許文献】
【０００３】
【特許文献１】特開２００９−２８３２４号公報
【発明の概要】
【発明が解決しようとする課題】
【０００４】
複数の蓋付き容器を組み合わせた容器セットでは、ランチボックスとしての利用を含めた多様な使用形態に対応するために、大きさが異なる蓋付き容器を組み合わせることが一般的である。しかしながら、特許文献１に記載の容器は、同一の容器を積み重ねることが前提であり、大きさが異なる容器を積み重ねることは考慮されていない。
【０００５】
また、容器セットを構成する複数の蓋付き容器全部を必ずしも同時に使うとは限らない。例えば、３個の容器からなる容器セットのうち２つの容器をランチボックスとして用いる場合もある。このように、積み重ねが可能な複数の蓋付き容器からなる容器セットでは、容器を任意に組み合わせた場合であっても、積み重ねた際に、互いにずれないように持ち運び可能であることが必要である。
【０００６】
さらに、ランチボックスとして用いる場合、利用者が食事をする際には、外された蓋部を置くスペースが必要となる。食事をするスペースが十分であれば、蓋部の置き場に困ることはないが、公園のベンチなど十分なスペースがないときには、膝の上に敷いたランチクロスに蓋を置き、更にその上に容器を置くことがある。このような場合、蓋から容器が滑り落ちることを防ぐため、容器と蓋部とが互いにずれないようにすることが必要である。
【０００７】
本発明は、上述のごとき事情に鑑みてなされたものであり、大きさが異なる複数の容器を任意に組み合わせて積み重ねた場合であっても、互いがずれずに安定して持ち運び可能な容器セット及び容器を提供することを目的とする。
【課題を解決するための手段】
【０００８】
本発明に係る容器セットは、蓋部及び該蓋部が開閉自在にはまる容器本体からなる容器を複数組み合わせる容器セットにおいて、各蓋部の外面には、嵌合凸部又は嵌合凹部が形成してあり、各容器本体の底部外面には、前記蓋部の嵌合凸部と嵌合する嵌合凹部又は前記蓋部の嵌合凹部と嵌合する嵌合凸部が形成してあることを特徴とする。
【０００９】
本発明にあっては、複数の容器において、各蓋部に嵌合凸部又は嵌合凹部、蓋部の嵌合凸部と嵌合する嵌合凹部又は蓋部の嵌合凸部と嵌合する嵌合凹部を各容器本体の底部に設けたので、任意の２つの容器を安定して積み重ねすることが可能となる。
【００１０】
本発明に係る容器セットは、前記嵌合凸部及び嵌合凹部は、それぞれ同一形状及び同一寸法としてあり、前記複数の容器本体のうち、任意の容器本体の前記嵌合凹部は、該容器本体及び他の容器本体と対応する蓋部の前記嵌合凸部と嵌合し、任意の容器本体の前記嵌合凸部は、該容器本体及び他の容器本体と対応する蓋部の前記嵌合凹部と嵌合するようにしてあることを特徴とする。
【００１１】
本発明にあっては、嵌合凸部及び嵌合凹部は、それぞれ同一形状及び同一寸法としてあるので、任意の２つの容器を安定して重ねることが可能となる。
【００１２】
本発明に係る容器セットは、前記複数の蓋部は積み重ねることが可能としてあることを特徴とする。
【００１３】
本発明にあっては、収納時に複数の容器の蓋部を効率的に収納することが可能となる。
【００１４】
本発明に係る容器セットは、前記容器セットを構成する複数の容器の内、小容積の容器は蓋部をはめた状態で大容積の容器に収容できるものであることを特徴とする。
【００１５】
本発明にあっては、小容積の容器は蓋部をはめた状態で大容積の容器に収容できるので、複数の容器を少ないスペースで収納可能となる。
【００１６】
本発明に係る容器は、蓋部及び該蓋部が開閉自在にはまる容器本体からなる容器において、蓋部の外面には、嵌合凸部が形成してあり、容器本体の底部外面には、前記嵌合凸部と嵌合する嵌合凹部が形成してあることを特徴とする。
【００１７】
本発明にあっては、容器において、蓋部に嵌合凸部を設け、容器本体の底部に該嵌合凸部と嵌合する嵌合凹部を設けてあるので、複数の容器を任意に組み合わせて、積み重ねることが可能となる。
【発明の効果】
【００１８】
本発明にあっては、複数の容器において、各蓋部に嵌合凸部又は嵌合凹部を設け、各容器本体の底部外面には、前記蓋部の嵌合凸部と嵌合する嵌合凹部又は前記蓋部の嵌合凹部と嵌合する嵌合凸部を設けたので、２つの容器を安定して積み重ねすることが可能となる。
【図面の簡単な説明】
【００１９】
【図１】実施の形態におけるランチボックスが積み重ねられている状態を上から見た斜視図である。
【図２】実施の形態におけるランチボックスの容器本体を示す斜視図である。
【図３】図２のＩＩＩ−ＩＩＩ線による断面図である。
【図４】実施の形態におけるランチボックスの容器本体を、下側から見た場合の斜視図である。
【図５】ランチボックスの蓋部を示す斜視図である。
【図６】図５のＶＩ−ＶＩ線による断面図である。
【図７】３つのランチボックスを積み重ねた状態の断面図である。
【図８】ＬサイズのランチボックスにＳサイズのランチボックスを積み重ねた状態の斜視図である。
【図９】ＬサイズのランチボックスにＳサイズのランチボックスを積み重ねた状態の断面図である。
【図１０】蓋部に嵌合凹部を、容器本体に嵌合凸部を設けた２つの容器を示した斜視図である。
【図１１】３つのランチボックスの収納形態の一例を示す断面図である。
【図１２】３つのランチボックスの収納形態の他の一例を示す断面図である。
【発明を実施するための形態】
【００２０】
以下、本発明をその実施の形態を示す図面に基づき具体的に説明する。本実施の形態においては、蓋付き容器をランチボックスとし、容器セットをランチボックスセットとして説明するが、一例に過ぎず、これに限られるものではない。工具、文房具、薬品、書籍などを収納する蓋付き容器にも適用可能である。
図１は実施の形態におけるランチボックスが積み重ねられている状態を上から見た斜視図である。
【００２１】
本実施の形態におけるランチボックスセットは、大きさの１番大きいＬサイズのランチボックス１、中くらいのＭサイズのランチボックス２、及び一番小さいＳサイズのランチボックス３の３個のランチボックスから構成されている。３個のランチボックス１、２、３は略直方体状であり、互いに大きさは異なるが略相似形である。各ランチボックス１、２、３は容器本体１０、２０、３０と蓋部１１、２１、３１とからなる。容器本体及び蓋部は、ＰＥＴ（Poly-Ethylene-Terephthalate）樹脂、ポリプロピレン、又はポリエチレン樹脂などの合成樹脂により成形されている。本実施の形態においては、３個のランチボックスからなるランチボックスセットを例としているが、ランチボックスは２個でも良いし、４個以上でも良い。
【００２２】
次に、ランチボックスセットを構成するランチボックス２について、説明する。ランチボックス１、３については、ランチボックス２について説明した後に、ランチボックス２と異なる点を説明する。図２は実施の形態におけるランチボックス２の容器本体２０を示す斜視図である。図３は図２のＩＩＩ−ＩＩＩ線による断面図である。図４は実施の形態におけるランチボックス２の容器本体２０を、下側から見た場合の斜視図である。
容器本体２０は平面視長方形状の底部２０ｅと、底部２０ｅの周縁から立ち上がる側板部２０ｄを有し、一面に開口部２０ｃを備える箱型形状をしている。開口部２０ｃの内周寸法は、底部２０ｅの内周寸法よりも、やや長くなっており、側板部２０ｄは底部２０ｅに対して、やや外側に傾いている。
【００２３】
側板部２０ｄは、容器本体２０の上方で断面逆Ｕ字形に折り返され、開口部２０ｃの外縁に沿って、凸状部２０ａを形成している。凸状部２０ａは矩形枠状であり、凸状部２０ａの向かい合う２つの短辺には底部２０ｅと平行に突出する取手部２０ｂが形成してある。取手部２０ｂは側板部２０ｄに沿う方向に細長い形状であり、角は丸められている（Ｒがつけられている）。
【００２４】
図３に示すように、側板部２０ｄと凸状部２０ａが連なる部分には短いテーパー部２０ｇが設けてある。テーパー部２０ｇの上端は、取手部２０ｂの上面と、高さ方向で略同一位置としてある。
【００２５】
底部２０ｅの外面には嵌合凹部２０ｆが形成してある。嵌合凹部２０ｆは平面視矩形状である。
【００２６】
図５はランチボックス２の蓋部２１を示す斜視図である。図６は図５のＶＩ−ＶＩ線による断面図である。蓋部２１は、略矩形上の平板部２１ａと、該平板部２１ａの外縁に沿って設けてある土手部２１ｂ、平板部２１ａの中央に設けてある嵌合凸部２１ｃを含む。
【００２７】
土手部２１ｂは、平板部２１ａと連なり、該平板部２１ａより、垂直に立ち上がっている。さらに、土手部２１ｂは、平板部２１ａと平行に外縁方向に伸び、平板部２１ａに垂直な方向に立ち下がるように形成されている。土手部２１ｂは、断面逆Ｕ字形状となっている。土手部２１ｂの立ち下がり部分の端部は、平板部２１ａより、やや上方に位置している。平板部２１ａの向い合う短辺に設けられた土手部２１ｂの立ち下がった部分の端部には、外側に伸びる取手部２１ｄが設けられている。該取手部２１ｄは土手部２１ｂに沿った方向に細長い形状であり、角は丸められている。土手部２１ｂにより形成される凹部と、容器本体２０の凸状部２０ａとが嵌合することにより、蓋部２１が容器本体２０にはまることとなる。
【００２８】
蓋部２１の中央に設けられた嵌合凸部２１ｃは、蓋部２１の内側から外側方向に、突出している。嵌合凸部２１ｃは平面視矩形状である。
【００２９】
蓋部２１に設けられた取手部２１ｄの突出長は、蓋部２１が容器本体２０にはめられた場合に、容器本体２０に設けられた取手部２０ｂと端部が揃うような長さにしてある。取手部２１ｄの幅は、取手部２０ｂの幅より広くしてある。容器本体２０に蓋部２１がはめられている状態において、取手部２１ｄの両端は、取手部２０ｂよりはみ出している状態となる。蓋部２１を容器本体２０より取り外す際には、一方の手で容器本体２０を押さえ、他方の手で取手部２１ｄの端部を持ち上げることにより、蓋部２１を取り外すことが可能となる。
【００３０】
上述の説明では、ランチボックス２について述べたが、ランチボックス１及びランチボックス３についても、ほぼ同様の構成である。図７は、３つのランチボックスを積み重ねた状態の断面図である。図７に示すように、３つのランチボックス１、２、３は、互いに大きさは異なるが、形は略相似形である。ただし、容器本体２０に形成してある嵌合凹部２０ｆはすべての容器本体に共通であり、容器本体３０において同一形状、同一寸法の嵌合凹部３０ｆが形成してある。また、蓋部２１に形成してある嵌合凸部２１ｃはすべての蓋部に共通であり、蓋部１１及び蓋部３１において同一形状、同一寸法の嵌合凸部１１ｃ及び３１ｃが形成してある。
なお、本実施例においては、容器本体１０には嵌合凹部を設けていないが、容器本体２０及び３０と同一形状、同一寸法の嵌合凹部を設けても良い。そのような場合、蓋部１１に容器本体１０を載せた場合、容器本体１０の嵌合凹部と蓋部１１の嵌合凸部１１ｃが嵌合し、容器本体１０と蓋部１１とが互いにずれることを防ぐことが可能となる。
【００３１】
図８はＬサイズのランチボックス１にＳサイズのランチボックス３を積み重ねた状態の斜視図である。図９はＬサイズのランチボックス１にＳサイズのランチボックス３を積み重ねた状態の断面図である。容器本体３０に形成した嵌合凹部３０ｆ及び蓋部１１に形成した嵌合凸部１１ｃを共通にしたことにより、任意の２つのランチボックスを積み重ねた場合にも、嵌合凸部１１ｃと嵌合凹部３０ｆとが嵌合するようになっている。そのため、任意の２つのランチボックスを積み重ねた場合であっても、２つのランチボックスを安定して固定することが可能となる。図１及び８には示していないが容器を積み重ねた後に、ゴム製バンド又は紐を架ける、若しくはランチクロスで包むことにより、複数容器をより確実に固定することが可能となる。
また、利用者が蓋部を外して食事をする際にも、蓋部に容器本体を載せることで、少ないスペースで食事が可能となる。容器本体の嵌合凹部と蓋部の嵌合凸部とが嵌合することにより、容器本体と蓋部とは互いに固定されるので、蓋部から容器本体が滑り落ちることを防ぐことが可能となる。
【００３２】
なお、上述の説明においては、蓋部に嵌合凸部が、容器本体に嵌合凹部が形成されているが、これに限らず蓋部に嵌合凹部を、容器本体に嵌合凸部を設けても良い。図１０は蓋部に嵌合凹部を、容器本体に嵌合凸部を設けた２つのランチボックス１、２を示した斜視図である。図１０に示したように、ランチボックス２の容器本体２０の底部２０ｅには嵌合凸部２０ｈが、ランチボックス１の蓋部１１には嵌合凹部１１ｅが設けられている。嵌合凸部２０ｈと嵌合凹部１１ｅとが嵌合することにより、ランチボックス１とランチボックス２とは互いにずれないように固定される。
【００３３】
また、嵌合凸部及び嵌合凹部は、容器本体又は蓋部に１つずつ設けられるとしたが、それに限らず複数個設けても良い。
さらにまた、嵌合凸部及び嵌合凹部は、平面視略矩形状としたが、矩形状に限らず、円形状、星型など、他の形状であっても良い。
【００３４】
次に本実施の形態におけるランチボックスの収納方法について説明する。図１１は３つのランチボックスの収納形態の一例を示す断面図である。
【００３５】
図１１に示している収納形態は、３つの容器本体１０、２０、３０と３つの蓋部１１、２１、３１とを、それぞれ分けて重ね、容器本体１０に蓋部１１を嵌める形態である。収納は次のように行う。小さな容器本体から順に、容器本体をそれより大きい容器本体に入れることを繰り返す。すなわち、容器本体３０を容器本体２０に入れ、容器本体３０の入っている容器本体２０を容器本体１０に入れる。
【００３６】
次に蓋部を重ねる。図１１に示しているように、蓋部２１は蓋部１１の土手部１１ｂの内部に、蓋部３１は蓋部２１の土手部２１ｂの内部に収納可能な大きさとなっている。３つの蓋部１１、２１、３１は次のように重ねる。蓋部１１を一番下にし、その上に蓋部２１を載せる。蓋部２１の上に蓋部３１を載せる。
【００３７】
容器本体３０及び容器本体２０が収納された容器本体１０と、蓋部３１及び蓋部２１が載せられた蓋部１１とを嵌合させることより、図１１に示しているような収納形態となる。
【００３８】
図１１に示している収納形態においては、収納時に容器ごとに蓋をはめる必要が無いので、収納の手間が省ける。また、取り出し時、例えば、Ｓサイズのランチボックス３を取り出す場合には、Ｍサイズのランチボックス２の蓋を外さずに取り出すことが可能となる。取り出しの手間が省ける。
また、蓋部２１は蓋部１１の土手部１１ｂの内部に、蓋部３１は蓋部２１の土手部２１ｂの内部に収納するように構成されているので、ランチボックス毎に蓋部を容器本体にはめて収納する場合と、ほぼ同じスペースに収納することが可能となる。
【００３９】
図１２は３つのランチボックスの収納形態の他の一例を示す断面図である。図１２に示した収納形態では、蓋部を閉めたランチボックスをそれより大きいランチボックスの容器本体に入れ、入れられたランチボックスの蓋部を締める。それを小さなランチボックスから繰り返すことにより、収納が完了する。すなわち、容器本体３０に蓋部３１を嵌めたランチボックス３を、ランチボックス２の容器本体２０に納め、蓋部２１を容器本体２０に嵌める。ランチボックス２をランチボックス１の容器本体１０に納め、蓋部１１を容器本体１０に嵌める。以上で、収納状態となる。
【００４０】
上述の実施の形態では、ランチボックスを直方体状としたが、それに限られず、楕円柱状又は多角形柱状であっても良い。また、同一形状、同一寸法の嵌合凸部及び嵌合凹部を蓋部及び容器本体に形成可能であれば、蓋部同士、容器本体同士が相似形で無くても良い。ただし、収納性が悪くなる点に考慮が必要である。
また、容器本体及び蓋部は合成樹脂により成形されているものとしたが、それに限らず、アルミニウム、アルマイト、又はステンレスなどの金属により成形しても良い。竹、杉、又はひのきなどの木材により成形してもよい。
【００４１】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【００４２】
以上の実施の形態に関し、さらに以下の付記を開示する。
【００４３】
（付記１）
蓋部及び該蓋部が開閉自在にはまる容器本体からなる容器を複数組み合わせる容器セットにおいて、
各蓋部の外面には、嵌合凸部又は嵌合凹部が形成してあり、
各容器本体の底部外面には、前記蓋部の嵌合凸部と嵌合する嵌合凹部又は前記蓋部の嵌合凹部と嵌合する嵌合凸部が形成してある
ことを特徴とする容器セット。
【００４４】
（付記２）
前記嵌合凸部及び嵌合凹部は、それぞれ同一形状及び同一寸法としてあり、
前記複数の容器本体のうち、任意の容器本体の前記嵌合凹部は、該容器本体及び他の容器本体と対応する蓋部の前記嵌合凸部と嵌合し、任意の容器本体の前記嵌合凸部は、該容器本体及び他の容器本体と対応する蓋部の前記嵌合凹部と嵌合するようにしてある
ことを特徴とする付記１に記載の容器セット。
【００４５】
（付記３）
前記複数の蓋部は積み重ねることが可能としてあることを特徴とする付記１又は２に記載の容器セット。
【００４６】
（付記４）
前記容器セットを構成する複数の容器の内、小容積の容器は蓋部をはめた状態で大容積の容器に収容できるものである
ことを特徴とする付記１から３のいずれか一つに記載の容器セット。
【００４７】
（付記５）
前記嵌合凸部及び嵌合凹部は、平面視略矩形状としてある
ことを特徴とする付記１から４のいずれか一つに記載の容器セット。
【００４８】
（付記６）
前記容器本体は略直方体状である
ことを特徴とする付記１から５のいずれか一つに記載の容器セット。
【００４９】
（付記７）
各蓋部及び各容器本体にはそれぞれ取手部が形成されており、蓋部の取手部の幅は容器本体の取手部の幅より広くしてある
ことを特徴とする付記１から６のいずれか一つに記載の容器セット。
【００５０】
（付記８）
蓋部及び該蓋部が開閉自在にはまる容器本体からなる容器において、
蓋部の外面には、嵌合凸部が形成してあり、
容器本体の底部外面には、前記嵌合凸部と嵌合する嵌合凹部が形成してある
ことを特徴とする容器。
【００５１】
（付記９）
第１の蓋部及び該第１の蓋部が開閉自在にはまる第１の容器本体からなる第１の容器、
第２の蓋部及び該第２の蓋部が開閉自在にはまる第２の容器本体からなる第２の容器、及び、
第３の蓋部及び該第３の蓋部が開閉自在にはまる第３の容器本体からなる第３の容器を備え、
第１の容器は第２の容器より容量が大きく、第２の容器は第３の容器より容量が大きい容器セットにおいて、
各蓋部の外面には、嵌合凸部が形成してあり、
各容器本体の底部外面には、前記嵌合凸部と嵌合する嵌合凹部が形成してあり、
第１の蓋部に形成した嵌合凸部は、第２容器本体に形成した嵌合凹部及び第３の容器本体に形成した嵌合凹部の、いずれにも嵌合可能としてある
ことを特徴とする容器セット。
【００５２】
（付記１０）
第１の蓋部及び該第１の蓋部が開閉自在にはまる第１の容器本体からなる第１の容器、
第２の蓋部及び該第２の蓋部が開閉自在にはまる第２の容器本体からなる第２の容器、及び、
第３の蓋部及び該第３の蓋部が開閉自在にはまる第３の容器本体からなる第３の容器を備え、
第１の容器は第２の容器より容量が大きく、第２の容器は第３の容器より容量が大きい容器セットにおいて、
各蓋部の外面には、嵌合凹部が形成してあり、
各容器本体の底部外面には、前記嵌合凹部と嵌合する嵌合凸部が形成してあり、
第１の蓋部に形成した嵌合凹部と第３の容器本体に形成した嵌合凸部とが、嵌合する
ことを特徴とする容器セット。
【００５３】
（付記１１）
前記嵌合凸部及び嵌合凹部は、それぞれ同一形状及び同一寸法としてあり、
前記複数の容器本体のうち、任意の容器本体の嵌合凸部は、該容器本体及び他の容器本体と対応する蓋部の嵌合凹部に嵌合するようにしてある
ことを特徴とする付記９に記載の容器セット。
【００５４】
（付記１２）
前記嵌合凸部及び嵌合凹部は、それぞれ同一形状及び同一寸法としてあり、
前記複数の容器本体のうち、任意の容器本体の嵌合凹部は、該容器本体及び他の容器本体と対応する蓋部の嵌合凸部に嵌合するようにしてある
ことを特徴とする付記１０に記載の容器セット。
【００５５】
（付記１３）
前記複数の蓋部は積み重ねることが可能としてあることを特徴とする付記９から１２のいずれか一つに記載の容器セット。
【００５６】
（付記１４）
前記容器セットを構成する複数の容器の内、小容積の容器は蓋部をはめた状態で大容積の容器に収容できるものである
ことを特徴とする付記９から１３のいずれか一つに記載の容器セット。
【００５７】
（付記１５）
前記嵌合凸部及び嵌合凹部は、平面視略矩形状としてある
ことを特徴とする付記９から１４のいずれか一つに記載の容器セット。
【００５８】
（付記１６）
前記容器本体は略直方体状である
ことを特徴とする付記９から１５のいずれか一つに記載の容器セット。
【００５９】
（付記１７）
各蓋部及び各容器本体にはそれぞれ取手部が形成されており、蓋部の取手部の幅は容器本体の取手部の幅より広くしてある
ことを特徴とする付記９から１６のいずれか一つに記載の容器セット。
【符号の説明】
【００６０】
１  ランチボックス
１０  容器本体
１０ｆ  嵌合凹部
１１  蓋部
１１ｃ  嵌合凸部
２  ランチボックス
２０  容器本体
２０ｆ  嵌合凹部
２１  蓋部
２１ｃ  嵌合凸部
３  ランチボックス
３０  容器本体
３１  蓋部
３１ｆ  嵌合凸部
【図１】
2013141467.tif 000003
【図２】
2013141467.tif 000004
【図３】
2013141467.tif 000005
【図４】
2013141467.tif 000006
【図５】
2013141467.tif 000007
【図６】
2013141467.tif 000008
【図７】
2013141467.tif 000009
【図８】
2013141467.tif 000010
【図９】
2013141467.tif 000011
【図１０】
2013141467.tif 000012
【図１１】
2013141467.tif 000013
【図１２】
2013141467.tif 000014
【手続補正書】
【提出日】平成24年5月14日(2012.5.14)
【手続補正２】
【補正対象書類名】明細書
【補正対象項目名】０００１
【補正方法】変更
【補正の内容】
【０００１】
本発明は、蓋付きの容器を複数重ねることが可能な容器セットに関する。
【手続補正３】
【補正対象書類名】明細書
【補正対象項目名】０００７
【補正方法】変更
【補正の内容】
【０００７】
本発明は、上述のごとき事情に鑑みてなされたものであり、大きさが異なる複数の容器を任意に組み合わせて積み重ねた場合であっても、互いがずれずに安定して持ち運び可能な容器セットを提供することを目的とする。
【手続補正４】
【補正対象書類名】明細書
【補正対象項目名】０００８
【補正方法】変更
【補正の内容】
【０００８】
本発明に係る容器セットは、蓋部及び該蓋部が開閉自在にはまる容器本体からなる容器を複数組み合わせる容器セットにおいて、第１の容器は第２の容器より容量が大きく、第２の容器は第３の容器より容量が大きく、各蓋部の外面には、同一形状及び同一寸法の嵌合凸部が形成してあり、前記複数の蓋部は積み重ねることが可能としてあり、各容器本体のうち、前記第２の容器及び前記第３の容器の容器本体の底部外面には、前記嵌合凸部の嵌合する嵌合凹部が形成してあり、前記第３の容器は、蓋部をはめた状態で前記第２の容器に収容できるものであり、前記第２の容器は、蓋部をはめた状態で前記第１の容器に収容できるものであり、前記第１の容器の蓋部に形成した前記嵌合凸部は、前記第３の容器の容器本体底部に形成した前記嵌合凹部と嵌合することにより、前記第１の容器に前記第３の容器を積み重ね可能としてあることを特徴とする。
【手続補正５】
【補正対象書類名】明細書
【補正対象項目名】０００９
【補正方法】変更
【補正の内容】
【０００９】
本発明にあっては、複数の容器において、第１の容器は第２の容器より容量が大きく、第２の容器は第３の容器より容量が大きく、各蓋部の外面には、同一形状及び同一寸法の嵌合凸部が形成してあり、各容器本体のうち、第２の容器及び第３の容器の容器本体の底部外面には、前記嵌合凸部の嵌合する嵌合凹部が形成してあるので、第１の容器の蓋部に第３の容器を積み重ねることが可能となる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本発明にあっては、複数の容器において、第１の容器は第２の容器より容量が大きく、第２の容器は第３の容器より容量が大きく、各蓋部の外面には、同一形状及び同一寸法の嵌合凸部が形成してあり、各容器本体のうち、第２の容器及び第３の容器の容器本体の底部外面には、前記嵌合凸部の嵌合する嵌合凹部が形成してあるので、第１の容器の蓋部に第３の容器を積み重ねることが可能となる。
【手続補正１５】
【補正対象書類名】特許請求の範囲
【補正対象項目名】全文
【補正方法】変更
【補正の内容】
【特許請求の範囲】
【請求項１】
蓋部及び該蓋部が開閉自在にはまる容器本体からなる容器を複数組み合わせる容器セットにおいて、
第１の容器は第２の容器より容量が大きく、第２の容器は第３の容器より容量が大きく、
各蓋部の外面には、同一形状及び同一寸法の嵌合凸部が形成してあり、
前記複数の蓋部は積み重ねることが可能としてあり、
各容器本体のうち、前記第２の容器及び前記第３の容器の容器本体の底部外面には、前記嵌合凸部の嵌合する嵌合凹部が形成してあり、
前記第３の容器は、蓋部をはめた状態で前記第２の容器に収容できるものであり、前記第２の容器は、蓋部をはめた状態で前記第１の容器に収容できるものであり、
前記第１の容器の蓋部に形成した前記嵌合凸部は、前記第３の容器の容器本体底部に形成した前記嵌合凹部と嵌合することにより、前記第１の容器に前記第３の容器を積み重ね可能としてある
ことを特徴とする容器セット。